(57)【特許請求の範囲】
【請求項１】
所定の監視エリアを撮像する撮像手段を有する画像センサと、
前記画像センサとは検知原理の異なる少なくとも１つのセンサと、
前記監視エリアを照明する発光手段と、あらかじめ設定した時点から所定時間の計時を繰り返す計時手段と、
前記計時手段により計時された所定時間ごとに前記発光手段を発光させるとともに、当該発光手段による発光と同時に前記撮像手段から取り込まれた画像について所定の明度範囲の画素が所定数以上含まれている場合に、検知異常を示す異常信号を出力する制御手段と、
を備えたことを特徴とする複合型センサ。
【請求項２】
所定の監視エリアを撮像する撮像手段を有する画像センサと、
前記画像センサとは検知原理の異なる少なくとも１つのセンサと、
前記監視エリアを照明する発光手段と、あらかじめ設定した時点から所定時間の計時を繰り返す計時手段と、
前記計時手段により計時された所定時間ごとに前記発光手段を発光させるとともに、当該発光手段による発光と同時に前記撮像手段から取り込まれた画像について第１の明度以上の画素が所定数以上含まれている場合、または当該画像に第２の明度以下の画素が所定数以上含まれている場合に、検知異常を示す異常信号を出力する制御手段と、
を備えたことを特徴とする複合型センサ。
【請求項３】
所定の検知領域に存在する物体を検知する検知センサと、
所定の監視エリアを撮像する撮像手段を有する画像センサと、
前記監視エリアを照明する発光手段と、
所定時間の計時をおこなう計時手段と、
前記検知センサにより物体が検知された場合、または前記検知センサにより物体が検知されかつ前記撮像手段から取り込まれた画像により移動物体が検知された場合に、前記計時手段を起動し、当該計時手段が前記所定時間の計時を完了した際に、前記発光手段を発光させるとともに、当該発光手段による発光と同時に前記撮像手段から取り込まれた画像について、所定の明度範囲の画素が所定数以上含まれている場合に、検知異常を示す異常信号を出力する制御手段と、
を備えたことを特徴とする複合型センサ。
【請求項４】
所定の検知領域に存在する物体を検知する検知センサと、
所定の監視エリアを撮像する撮像手段を有する画像センサと、
前記監視エリアを照明する発光手段と、
所定時間の計時をおこなう計時手段と、
前記検知センサにより物体が検知された場合、または前記検知センサにより物体が検知されかつ前記撮像手段から取り込まれた画像により移動物体が検知された場合に、前記計時手段を起動し、当該計時手段が前記所定時間の計時を完了した際に、前記発光手段を発光させるとともに、当該発光手段による発光と同時に前記撮像手段から取り込まれた画像について、第１の明度以上の画素が所定数以上含まれている場合、または当該画像に第２の明度以下の画素が所定数以上含まれている場合に、検知異常を示す異常信号を出力する制御手段と、
を備えたことを特徴とする複合型センサ。
【請求項５】
所定の検知領域に存在する物体を検知する検知センサと、
所定の監視エリアを撮像する撮像手段を有する画像センサと、
前記監視エリアを照明する発光手段と、
あらかじめ設定した時点から第１の時間の計時を繰り返す第１の計時手段と、
第２の時間の計時をおこなう第２の計時手段と、
前記検知センサにより物体が検知された場合、または前記検知センサにより物体が検知されかつ前記撮像手段から取り込まれた画像により物体を検知した場合に、前記第２の計時手段を起動し、当該第２の計時手段が前記第２の時間の計時を完了した際、または前記検知センサおよび前記撮像手段から取り込まれた画像により移動物体が検知されないまま前記第１の計時手段による前記第１の時間の計時が完了した際、前記発光手段を発光させるとともに、当該発光手段による発光と同時に前記撮像手段から取り込まれた画像について、所定の明度範囲の画素が所定数以上含まれている場合に、検知異常を示す異常信号を出力する制御手段と、
を備えたことを特徴とする複合型センサ。
【請求項６】
所定の検知領域に存在する物体を検知する検知センサと、
所定の監視エリアを撮像する撮像手段を有する画像センサと、
前記撮像エリアを照明する発光手段と、
あらかじめ設定した時点から第１の時間の計時を繰り返す第１の計時手段と、
第２の時間の計時をおこなう第２の計時手段と、
前記検知センサにより物体が検知された場合、または前記検知センサにより物体が検知されかつ前記撮像手段から取り込まれた画像により物体を検知した場合に、前記第２の計時手段を起動し、当該第２の計時手段が前記第２の時間の計時を完了した際、または前記検知センサおよび前記撮像手段から取り込まれた画像により移動物体が検知されないまま前記第１の計時手段による前記第１の時間の計時が完了した際、前記発光手段を発光させるとともに、当該発光手段による発光と同時に前記撮像手段から取り込まれた画像について、第１の明度以上の画素が所定数以上含まれている場合、または当該画像に第２の明度以下の画素が所定数以上含まれている場合に、検知異常を示す異常信号を出力する制御手段と、
を備えたことを特徴とする複合型センサ。
【発明の詳細な説明】
【０００１】
【発明の属する技術分野】
この発明は、警備用システムなどに利用され、侵入検知センサと画像センサというそれぞれ異なる検知特性を備えた複合型センサに関し、より詳細には、センサ部およびセンサ全体を検知不能にする細工行為の防止を実現する複合型センサに関する。
【０００２】
【従来の技術】
従来、警備用システムに用いられているセンサとして、一般的には、監視対象とするエリア内への侵入者を検知するには、侵入者が発する赤外線を感知する受動型赤外線センサ（以下、パッシブセンサと称する）が利用されている。このパッシブセンサは、人体が発する赤外線を受光し、その受光のレベル変化によって侵入者の有無を検知するものである。
【０００３】
【発明が解決しようとする課題】
しかしながら、上記に示されるような従来のパッシブセンサにあっては、赤外線を透過しない遮蔽物によってセンサ筐体が覆われると、赤外線が遮断されることによって監視エリアから入射される赤外線がセンサの検出素子に届かなくなるため、監視エリア内に人体が存在しても検知することができないという問題点があった。また、長時間の使用によってセンサ筐体がほこりなどで汚れたり、故意にセンサ筐体がペンキ等で遮蔽されたりすると、上述したように、検知不能の状態になるという問題点があった。
【０００４】
この発明は、上記に鑑みてなされたものであって、センサ全体およびセンサ部分の遮蔽物や汚れを検知することにより、検知状態の異常を判断する複合型センサを提供することを目的とする。
【０００５】
【課題を解決するための手段】
上記の目的を達成するために、請求項１にかかる複合型センサにあっては、所定の監視エリアを撮像する撮像手段を有する画像センサと、前記画像センサとは検知原理の異なる少なくとも１つのセンサと、前記監視エリアを照明する発光手段と、あらかじめ設定した時点から所定時間の計時を繰り返す計時手段と、前記計時手段により計時された所定時間ごとに前記発光手段を発光させるとともに、当該発光手段による発光と同時に前記撮像手段から取り込まれた画像について所定の明度範囲の画素が所定数以上含まれている場合に、検知異常を示す異常信号を出力する制御手段と、を備えたものである。
【０００６】
この発明によれば、所定時間（たとえば、３０分）ごとに発光手段を発光させて撮像手段より画像を取り込み、取り込んだ画像を構成する画素のうち、所定の明度範囲における画素が、たとえば、１００×１００画素の画像の範囲内に８０００個以上存在したときに、センサへの遮蔽物工作、すなわち、かぶせ細工がおこなわれた、あるいは検知不能な汚れであると判断する。
【０００７】
また、請求項２にかかる複合型センサにあっては、所定の監視エリアを撮像する撮像手段を有する画像センサと、前記画像センサとは検知原理の異なる少なくとも１つのセンサと、前記監視エリアを照明する発光手段と、あらかじめ設定した時点から所定時間の計時を繰り返す計時手段と、前記計時手段により計時された所定時間ごとに前記発光手段を発光させるとともに、当該発光手段による発光と同時に前記撮像手段から取り込まれた画像について第１の明度以上の画素が所定数以上含まれている場合、または当該画像に第２の明度以下の画素が所定数以上含まれている場合に、検知異常を示す異常信号を出力する制御手段と、を備えたものである。
【０００８】
この発明によれば、第１の明度または第２の明度というように二つの明度基準を設け、所定時間（たとえば、３０分）ごとに発光手段を発光させて撮像手段より画像を取り込み、取り込んだ画像を構成する画素のうち、第１の明度以上の画素の数が所定数よりも多い場合（全体的に明るい場合）あるいは第２の明度以下の画素の数が所定数よりも多い場合（全体的に暗い場合）に異常として判断する。すなわち、センサ筐体全部に何か物をかぶせる行為がなされているときは、発光手段の照明がかぶせられた物に反射して画像が非常に明るくなり、また、撮像手段のレンズ部のみに何か物をかぶせられたときは、画像が真っ暗になる特性を利用することにより、センサへの遮蔽物工作（かぶせ細工）がおこなわれたか、あるいは検知不能な汚れであるかを判断する。
【０００９】
また、請求項３にかかる複合型センサにあっては、所定の検知領域に存在する物体を検知する検知センサと、所定の監視エリアを撮像する撮像手段を有する画像センサと、前記監視エリアを照明する発光手段と、所定時間の計時をおこなう計時手段と、前記検知センサにより物体が検知された場合、または前記検知センサにより物体が検知されかつ前記撮像手段から取り込まれた画像により移動物体が検知された場合に、前記計時手段を起動し、当該計時手段が前記所定時間の計時を完了した際に、前記発光手段を発光させるとともに、当該発光手段による発光と同時に前記撮像手段から取り込まれた画像について、所定の明度範囲の画素が所定数以上含まれている場合に、検知異常を示す異常信号を出力する制御手段と、を備えたものである。
【００１０】
この発明によれば、検知手段によって侵入者を検知した後、センサ細工時間を見込んだ所定時間（たとえば、３分）の経過後に、発光手段を発光させて撮像手段より画像を取り込み、取り込んだ画像を構成する画素のうち、所定の明度範囲における画素が、たとえば、１００×１００画素の画像の範囲内に８０００個以上存在したときに、センサへの遮蔽物工作、すなわち、かぶせ細工がおこなわれた、あるいは検知不能な汚れであると判断する。
【００１１】
また、請求項４にかかる複合型センサにあっては、所定の検知領域に存在する物体を検知する検知センサと、所定の監視エリアを撮像する撮像手段を有する画像センサと、前記監視エリアを照明する発光手段と、所定時間の計時をおこなう計時手段と、前記検知センサにより物体が検知された場合、または前記検知センサにより物体が検知されかつ前記撮像手段から取り込まれた画像により移動物体が検知された場合に、前記計時手段を起動し、当該計時手段が前記所定時間の計時を完了した際に、前記発光手段を発光させるとともに、当該発光手段による発光と同時に前記撮像手段から取り込まれた画像について、第１の明度以上の画素が所定数以上含まれている場合、または当該画像に第２の明度以下の画素が所定数以上含まれている場合に、検知異常を示す異常信号を出力する制御手段と、を備えたものである。
【００１２】
この発明によれば、第１の明度または第２の明度というように二つの明度基準を設け、検知手段によって侵入者を検知した後、センサ細工時間を見込んだ所定時間（たとえば、３分）の経過後に、発光手段を発光させて撮像手段より画像を取り込み、取り込んだ画像を構成する画素のうち、第１の明度以上の画素の数が所定数よりも多い場合（全体的に明るい場合）あるいは第２の明度以下の画素の数が所定数よりも多い場合（全体的に暗い場合）に異常として判断する。すなわち、センサ筐体全部に何か物をかぶせる行為がなされているときは、発光手段の照明がかぶせられた物に反射して画像が非常に明るくなり、また、撮像手段のレンズ部のみに何か物をかぶせられたときは、画像が真っ暗になる特性を利用することにより、センサへの遮蔽物工作（かぶせ細工）がおこなわれたか、あるいは検知不能な汚れであるかを判断する。
【００１３】
また、請求項５にかかる複合型センサにあっては、所定の検知領域に存在する物体を検知する検知センサと、所定の監視エリアを撮像する撮像手段を有する画像センサと、前記監視エリアを照明する発光手段と、あらかじめ設定した時点から第１の時間の計時を繰り返す第１の計時手段と、第２の時間の計時をおこなう第２の計時手段と、前記検知センサにより物体が検知された場合、または前記検知センサにより物体が検知されかつ撮像手段から取り込まれた画像により物体を検知した場合に、前記第２の計時手段を起動し、当該第２の計時手段が前記第２の時間の計時を完了した際、または前記検知センサおよび前記撮像手段から取り込まれた画像により移動物体が検知されないまま前記第１の計時手段による前記第１の時間の計時が完了した際、前記発光手段を発光させるとともに、当該発光手段による発光と同時に前記撮像手段から取り込まれた画像について、所定の明度範囲の画素が所定数以上含まれている場合に、検知異常を示す異常信号を出力する制御手段と、を備えたものである。
【００１４】
この発明によれば、検知手段により物体が検知されないまま第１の計時手段（たとえば、３０分）による前記第１の時間の計時が完了した際、または前記第２の計時手段による前記第２の時間（たとえば、３分）の計時が完了した際の二つのタイミングで、発光手段を発光させて撮像手段より画像を取り込み、取り込んだ画像を構成する画素のうち、所定の明度範囲における画素が、たとえば、１００×１００画素の画像の範囲内に８０００個以上存在したときに、センサへの遮蔽物工作、すなわち、かぶせ細工がおこなわれた、あるいは検知不能な汚れであると判断する。
【００１５】
また、請求項６にかかる複合型センサにあっては、所定の検知領域に存在する物体を検知する検知センサと、所定の監視エリアを撮像する撮像手段を有する画像センサと、前記撮像エリアを照明する発光手段と、あらかじめ設定した時点から第１の時間の計時を繰り返す第１の計時手段と、第２の時間の計時をおこなう第２の計時手段と、前記検知センサにより物体が検知された場合、または前記検知センサにより物体が検知されかつ撮像手段から取り込まれた画像により物体を検知した場合に、前記第２の計時手段を起動し、当該第２の計時手段が前記第２の時間の計時を完了した際、または前記検知センサおよび前記撮像手段から取り込まれた画像により移動物体が検知されないまま前記第１の計時手段による前記第１の時間の計時が完了した際、前記発光手段を発光させるとともに、当該発光手段による発光と同時に前記撮像手段から取り込まれた画像について、第１の明度以上の画素が所定数以上含まれている場合、または当該画像に第２の明度以下の画素が所定数以上含まれている場合に、検知異常を示す異常信号を出力する制御手段と、を備えたものである。
【００１６】
この発明によれば、検知手段が侵入者を検知し、センサ細工時間を見込んだ第２の所定時間（たとえば、３分）が経過した場合、および検知手段が所定時間（たとえば、３０分）経過しても検知信号を出力しない場合の両方のタイミングで、発光手段を発光させて撮像手段より画像を取り込み、取り込んだ画像を構成する画素のうち、第１の明度以上の画素の数が所定数よりも多い場合（全体的に明るい場合）あるいは第２の明度以下の画素の数が所定数よりも多い場合（全体的に暗い場合）に異常として判断する。すなわち、センサ筐体全部に何か物をかぶせる行為がなされているときは、発光手段の照明がかぶせられた物に反射して画像が非常に明るくなり、また、撮像手段のレンズ部のみに何か物をかぶせられたときは、画像が真っ暗になる特性を利用することにより、センサへの遮蔽物工作（かぶせ細工）がおこなわれたか、あるいは検知不能な汚れであるかを判断する。
【００１７】
【発明の実施の形態】
以下、この発明にかかる複合型センサの好適な実施の形態について添付図面を参照し、詳細に説明する。なお、この実施の形態によりこの発明が限定されるものではない。
【００１８】
この複合型センサは、警備対象となる金融機関や店舗における部屋、廊下、特定エリアの天井等に設置され、侵入者の識別を、たとえば上記したパッシブセンサと移動物体の動きや移動方向を検出できる人工網膜ＬＳＩ（具体的には、特開平１０−９３３５８号公報に開示された技術）を用いた画像センサとを組み合わせ、その侵入者検知信号および後述する小細工検知信号を送出するものである。以下、それぞれ実施の形態ごとに説明する。
【００１９】
（実施の形態１）
図１は、この発明の実施の形態１にかかる複合型センサおよび該センサを用いたシステム構成を示すブロック図である。この複合型センサ１０は、後述するように、検知器１１と、画像センサ１２と、発光部１３と、記憶部１４と、タイマ１５と、制御部１４と、を備えている。
【００２０】
検知器１１は、侵入者が発する赤外線の受光量によって侵入者を検知するパッシブセンサを有しており、侵入者を検知した場合に制御部１６に検知信号を送る。なお、検知器１１においては、パッシブセンサに代えて、赤外線などのビームを発してその反射量から侵入者を検知する反射型赤外線センサや超音波センサ等、従来より使用され、侵入者の有無を検知できるものセンサを使用することができる。
【００２１】
画像センサ１２は、監視エリアを撮像する画像センサで人工網膜ＬＳＩを用いる。また、画像センサ１２は、人工網膜ＬＳＩの他に、ＣＣＤ（電荷結合素子）を用いたＣＣＤカメラ等の撮像装置を用いてもよい。発光部１３は、監視エリアを照明するために、ここではＬＥＤ（ＬＥＤ群）を用いる。また、発光部１３は、ＬＥＤの他にストロボ、フラッシュ等の監視エリアを照明できるものであれば何れであってもよい。
【００２２】
記憶部１４は、あらかじめ任意に設定される明るさの閾値（基準値）を記憶するものである。タイマ１５は、あらかじめ任意に設定される時間を計時するものである。制御部１６は、たとえば１６ビットのマイクロコンピュータ（ＣＰＵ）を用い、上述の各機能ブロックを統括的に制御するものである。
【００２３】
上記複合型センサ１０には、制御部１６を介して警報送出器２０が接続されている。すなわち、複合型センサ１０において侵入者を検知した場合、その検知信号が警報送出器２０に送られるように構成されている。さらに、警報送出器２０には、警報ブザー２１、監視センタ２５のシステムが接続されている。なお、この監視センタ２５は、通信回線を介して警報送出器２０と通信可能に遠隔に位置するものである。
【００２４】
また、必要に応じて、監視領域付近または監視領域が属する建造物の入口付近に、監視領域の警備状態を有効または解除するための警備切換装置を設けてもよい。この場合、警備切換装置は、上記した警報送出器２０または監視センタ２５との信号の送受信を可能とする。
【００２５】
図２は、図１における複合型センサ１０の概観を示す斜視図である。同図に示すように、略半球状の筐体に、人工網膜ＬＳＩを用いた画像センサ１２の周囲に照明用のＬＥＤ１３が複数個設けられ、その近傍にパッシブセンサにより構成される検知器１１が設けられている。ここでは、検知器１１で異常が認められたときに、ＬＥＤ１３をオンし、画像センサ１２でその画像を取り込むものとする。
【００２６】
つぎに、以上のように構成された複合型センサおよびそのセンサを用いたシステム構成の特徴となる「かぶせ検知」の動作について説明する。なお、「かぶせ検知」とは、図２に示したような複合型センサに、たとえば、お椀状や布などの遮蔽物を被せたり、ペンキなどを塗布してセンサ機能を妨害する行為を検知するものである。
【００２７】
図３は、この発明の実施の形態１にかかる動作例を示すフローチャートである。同図において、複合型センサ１０の電源（図示せず）を投入すると、複合型センサ１０各部に電力が供給され、制御部１６が動作を開始する。なお、動作の開始は警備状態から警備解除状態となった時等様々である。まず、タイマ１５を起動させ、あらかじめ設定した第１の設定時間の計時を開始する（ステップＳ１１）。そして、検知器１１により監視エリアにおいて物体が検知されたか否かを判断する（ステップＳ１２）。ここで検知器１１から制御部１６に検知信号が送られ、物体が検知されたと判断すると、制御部１６は画像処理により、上記検知器１１で検知された物体が動いているか否かを判断する（ステップＳ１３）。
【００２８】
ここで、上記ステップＳ１３の詳細な処理について説明する。まず、制御部１６が画像センサ１２より監視エリアの画像を１枚取り込む。つぎに制御部１６は取り込んだ画像の明るさを測定する。ここで、この「明るさ」は、画像中の各画素の明度あるいは輝度値の平均値により示されるものとする。つぎに制御部１６は、先に求めた監視エリアの明るさとあらかじめ記憶部１４に記憶してある明るさ基準値（閾値）と比較する。この基準値は、発光部１３で監視エリアを照明するか否かを判断する値である。
【００２９】
このとき、監視エリアの明るさが上記基準値に対して低い値であれば、制御部１６は発光部１６をオンするように制御する。この制御によって発光部１６が監視エリアを照明する。一方、監視エリアの明るさが上記基準値に対して高い値の場合には発光部１３の発光をおこなわない。つぎに、制御部１６は画像センサ１２より監視エリアの画像を複数枚取り込む。ここで取り込む画像は、発光部１３が監視エリアを照明している時間内に得られる枚数の画像であるが、特に画像センサ１２として人工網膜センサを用いて移動物体の動きのみを検出したい場合には、２枚の画像のみで足りる。
【００３０】
したがって、発光部１３が照明する時間は、少なくとも２枚以上の画像が取り込める時間となる。つぎに、制御部１６は、上記取り込んだ複数枚の画像を処理し、動いている物体が存在するかを判断する。画像処理は制御部１６がおこなってもよいし、画像センサ１２で前処理を行い、制御部１６が補助処理をおこなってもよい。
【００３１】
さて、上記ステップＳ１３において、制御部１６は動いている物体があると判断すると、警報送出器２０に侵入者検知信号を送信する（ステップＳ１４）。そして、あらかじめ設定した時間（タイマ１５の設定を、たとえば３０分とする）を経過したか否かを判断する（ステップＳ１５）。また、上記ステップＳ１２で検知器１１で物体を検知しないと判断した場合、あるいはステップＳ１３において画像センサ１２によって取り込んだ画像の処理により、移動物体ではないと判断した場合にも、上記ステップＳ１５の判断処理を行う。
【００３２】
上記ステップＳ１５において、設定時間３０分を経過したと判断した場合、さらに筐体に対するかぶせ細工および汚れの検知を実行する（ステップＳ１６）。すなわち、制御部１６は発光部１２を起動し監視エリアの画像を１枚取り込み、その画像の明るさによってかぶせ等の細工や汚れの有無を判断する。このかぶせや汚れの判断は、取り込んだ画像の中で、所定の範囲の明るさを有する画素が所定個以上存在するかによって判断する。
【００３３】
たとえば、１００×１００画素の画像の場合、所定の範囲内の明るさに属する画素が８０００個以上であったときに、かぶせ細工がおこなわれたと判断する。すなわち、取り込んだ画像の大半の部分が同程度の明るさであった場合、センサ部分が何かの遮蔽物（遮蔽材料）で覆われている、あるいは汚れていると判断する。
【００３４】
ところで、上述した実施の形態では、取り込んだ画像の明るさを、所定の範囲にある画素が所定個以上存在するかによって判断し、その明るさのレベルからかぶせ細工の有無の判断をおこなったが、所定個以上の画素が非常に明るくなっている場合、あるいは真っ暗になった場合にも異常であると判断してもよい。たとえば、記憶部１４に記憶する基準値（閾値）を第１の基準値および第２の基準値というように二つ設け、第１の基準値よりも明るい場合、あるいは第２の基準値よりも暗い場合にかぶせ細工がおこなわれたと判断することができる。
【００３５】
すなわち、上述したかぶせ細工の検知は、複合型センサ１０の筐体全部に何か物をかぶせる行為がなされているときは、発光部１３の照明がかぶせられた物に反射して画像が非常に明るくなり、また、画像センサ１２のレンズ部のみに何か物をかぶせられたときは、画像が真っ暗になることを利用している。
【００３６】
さて、上記ステップＳ１６において、かぶせ細工あるいは汚れがあると判断した場合、制御部１６は警報送出器２０に細工検知信号を送信し（ステップＳ１７）、タイマ１５をリセットし（ステップＳ１８）、ステップＳ１１に戻り、上述した動作を繰り返し実行する。
【００３７】
警報送出器２０は、上記侵入者検知信号を受信すると、警備中であれば監視センタ２５に警報を送信してもよいし、その場で警報ブザー２１等を起動させて周囲に知らせるようにしてもよい。また、警報送出器２０は、細工検知信号を入力すると、警備中・警備解除中にかかわらず監視センタ２５に警報を送信してもよいし、その場で警報ブザー２１等を起動させて周囲に知らせるようにしてもよい。
【００３８】
したがって、以上説明したように、この実施の形態１では、所定時間（この例では、３０分）ごとに監視エリアの画像の明るさを検出し、その明るさをあらかじめ定めた値と比較し、その比較結果に基づいてセンサの異常有無を判断することにより、かぶせ細工あるいはセンサの汚れを検知することができる。また、明るさの度合いによって、センサの筐体全体が細工されたのか、あるいは画像センサ１２のレンズ部分が細工されたかを判断することもできる。
【００３９】
なお、上述した実施の形態１においては、検知器１１によって物体が検知された際にはじめて画像センサ１２が画像を取得して、画像の明るさ測定をおこない、その測定結果に基づいてＬＥＤ１３の発光および動き検出をおこなうものであったが、たとえば電源投入時から、画像センサ１２による画像の取得を常におこない、取得した画像ごとに明るさ測定をおこなって、その測定結果に基づいて、ＬＥＤ１３の発光および動き検出をおこなってもよい。
【００４０】
さらに、監視エリアにおいて昼間等のように人通りが多いことがわかっている場合に、検知器１１による検知が全くおこなわれないことも、検知異常に該当するが、このような検知異常に対しても、上記したタイマの設定時間を３分よりも十分長い時間、たとえば３０分にすることで対処することができる。
【００４１】
なお、本実施の形態では、一度のかぶせ検知で細工検知信号を出力しているが、複数回連続で検知された場合、あるいは、５回かぶせの検知を行い、そのうち、３回異常があった場合に細工検知信号を出力するようにしてもよい。
【００４２】
（実施の形態２）
つぎに、実施の形態２にかかる複合型センサについて説明する。この実施の形態２は、前述した図１および図２のように構成された複合型センサおよびそのセンサを用いたシステム構成を用いるものとする。ただし、後述するように、侵入者がセンサにお椀などをかぶせる細工をおこなうのに十分な時間（たとえば、３分）を考慮するために、タイマ１５の設定時間を実施の形態１とは異なる設定にしてある。
【００４３】
図４は、この発明の実施の形態２にかかる動作例を示すフローチャートである。同図において、複合型センサ１０の電源（図示せず）を投入すると、複合型センサ１０各部に電力が供給され、制御部１６が動作を開始する。まず、検知器１１によって物体が検知されたか否かを判断する（ステップＳ２１）。ここで検知器１１から制御部１６に検知信号が送られ、物体が検知されたと判断すると、さらに、前述した実施の形態１で述べたと同様に、制御部１６は画像処理により、上記検知器１１で検知された物体が動いているか否かを判断する（ステップＳ２２）。
【００４４】
上記ステップＳ２２において、制御部１６は動いている物体があると判断すると、警報送出器２０に侵入者検知信号を送信する（ステップＳ２３）。そして、タイマ１５を起動し、計時を開始する（ステップＳ２４）。この場合におけるタイマ設定時間は、侵入者がかぶせ細工を行うのに必要な時間として、たとえば、３分と設定する。このタイマ１５による計時を開始した後、再度、検知器１１によって物体が検知されたか否かを判断する（ステップＳ２５）。ここで、検知器１１から制御部１６に検知信号が送られ、物体が検知されたと判断すると、タイマ１５の計時をリセットし（ステップＳ２９）、ステップＳ２２に戻り、以降の動作を実行する。
【００４５】
一方、上記ステップＳ２５において、物体が検知されていないと判断した場合、タイマ１５が設定時間（この例では、３分）を経過したか否かを判断する（ステップＳ２６）。ここで、設定時間（３分）を経過したと判断したならば、さらに、実施の形態１と同様に、筐体のかぶせ細工および汚れの検知を行う（ステップＳ２７）。そして、制御部１６は、かぶせ細工あるいは汚れありと判断すると、警報送出器２０に対して細工検知信号を送信する（ステップＳ２８）。また、かぶせ細工あるいは汚れなしと判断したならば、上記ステップＳ２１に戻り、以降の動作を実行する。
【００４６】
上記各検知信号を受けた警報送出器２０は、実施の形態１と同様に、侵入者検知信号を受信すると、警備中であれば監視センタ２５に警報を送信してもよいし、その場で警報ブザー２１等を起動させて周囲に知らせるようにしてもよい。また、警報送出器２０は、細工検知信号を入力すると、警備中・警備解除中にかかわらず監視センタ２５に警報を送信してもよいし、その場で警報ブザー２１等を起動させて周囲に知らせるようにしてもよい。
【００４７】
また、図４に示したフローチャートにおいて、ステップＳ２７によりかぶせ状態等が検知されると、直ちに細工検知信号を送信するとしたが、このかぶせ状態を連続して複数回検知したときにはじめて細工検知信号を送信するようにすることもできる。図５は、この場合の実施の形態２にかかる動作例を示すフローチャートである。
【００４８】
図５において、まず、かぶせ状態の連続検知数を示すｉを初期化する（ステップＳ３１）。つづく、ステップＳ３２〜Ｓ３８、Ｓ４２は、図４に示したステップＳ２１〜Ｓ２７、Ｓ２９と同様であるので、ここではそれらの説明を省略する。ステップＳ３８においてかぶせ状態が検知されると、上記した連続検知数ｉをカウントアップする（ステップＳ３９）。
【００４９】
そして、この連続検知数ｉが所定数（たとえば、３）を示すか否かを判断する（ステップＳ４０）。ステップＳ４０において、連続検知数ｉが所定数に達していれば、上記した細工検知信号の送信をおこない（ステップＳ４１）、ステップＳ３１へと処理を戻す。
【００５０】
一方、ステップＳ４０において、連続検知数ｉが所定数に達していない場合には、タイマをリセットし（ステップＳ４３）、再びステップＳ３５に戻る。この際、ステップＳ３８において再度、かぶせ状態が検知された場合は、上記した処理を繰り返す。ステップＳ３８においてかぶせ状態が検知されない場合は、再びステップＳ３１に処理を戻す。
【００５１】
また、これ以外にも、検知器１１により物体を検知したにも関わらず、その後の画像処理において移動物体が検知されないという状態が連続して生じた場合に、かぶせ検知をおこなうようにしてもよい。これにより、たとえば、画像センサ１２のレンズ部のみが細工されることで、検知器１１が連続して物体を検知する状態に対しても検知異常と判断することができる。
【００５２】
以上説明したように、この実施の形態２では、検知器１１が物体を検知するごとにかぶせ細工のチェックをおこなうようにしている。これは、侵入者等がかぶせ細工を行うためには、必然的に検知器１１で検知されるからである。また、検知器１１が検知してから所定時間（３分）後にかぶせ細工のチェックをおこなうようにしたのは、細工を行う時間を考慮したためである。
【００５３】
なお、上述した説明においては、検知器１１が物体を検知してから所定時間後にかぶせ検知をおこなうとしているが、検知器１１が移動物体を検知し、かつ画像センサ１２により移動物体が検知された際に所定時間の計時を開始し、その所定時間経過時にかぶせ検知をおこなうようにしてもよい。
【００５４】
さらに、監視エリアにおいて昼間等のように人通りが多いことがわかっている場合に、検知器１１による検知が全くおこなわれないことも、検知異常に該当するが、このような検知異常に対しても、上記したタイマの設定時間を３分よりも十分長い時間、たとえば３０分にすることで対処することができる。
【００５５】
なお、本実施の形態では、複数回連続してかぶせの検知が行なわれた場合に、細工検知信号を出力しているが、たとえば、５回かぶせの検知を行い、そのうち、３回異常があった場合に細工検知信号を出力してもよい。
【００５６】
（実施の形態３）
図６は、この発明の実施の形態３にかかる複合型センサおよびそのセンサを用いたシステム構成を示すブロック図である。この複合型センサ３０は、前述した実施の形態１の図１の構成に対し、それぞれ別々の時間を設定するための第１のタイマ１５ａ、第２のタイマ１５ｂを設けた部分が異なる。したがって、他の構成要素およびその機能は、実施の形態１と同様であるため、図１と同一符号を付し、その説明は省略する。
【００５７】
図７は、この発明の実施の形態３にかかる動作例を示すフローチャートである。同図において、複合型センサ１０の電源（図示せず）を投入すると、複合型センサ１０各部に電力が供給され、制御部１６が動作を開始する。まず、第１のタイマ１５ａを起動させ、あらかじめ設定した第１の設定時間を計時する（ステップＳ５１）。この第１のタイマ１５ａの設定時間は、たとえば、３０分とする。そして、検知器１１によって物体が発する赤外線の有無により、物体が検知されたか否かを判断する（ステップＳ５２）。ここで検知器１１から制御部１６に検知信号が送られ、物体が検知されたと判断すると、制御部１６は画像処理により、上記検知器１１で検知された物体が動いているか否かを判断する（ステップＳ５３）。
【００５８】
上記ステップＳ５３において、制御部１６は動いている物体があると判断すると、警報送出器２０に侵入者検知信号を送信する（ステップＳ５４）。そして、第２のタイマ１５ｂを起動し、計時を開始する（ステップＳ５５）。この第２のタイマ１５ａの設定時間（第１の時間：たとえば、３０分）は、かぶせ細工を行うに十分な時間を考慮し、たとえば、３分とする。
【００５９】
つづいて、再度、検知器１１によって物体が検知されたか否かを判断する（ステップＳ５６）。ここで検知器１１から制御部１６に検知信号が送られ、物体が検知されたと判断すると、第２のタイマ１５ｂの計時をリセットし（ステップＳ６２）、ステップＳ５３に戻り、以降の動作を実行する。
【００６０】
一方、上記ステップＳ５６において、物体が検知されていないと判断した場合、第２のタイマ１５ｂが設定時間（第２の時間：この例では、３分）を経過したか否かを判断する（ステップＳ５７）。ここで、設定時間（３分）を経過したと判断したならば、さらに、実施の形態１と同様に、筐体のかぶせ細工および汚れの検知を行う（ステップＳ５８）。そして、制御部１６は、かぶせ細工あるいは汚れありと判断すると、警報送出器２０に対して細工検知信号を送信する（ステップＳ５９）。また、かぶせ細工あるいは汚れなしと判断したならば、第１のタイマ１５ａおよび第２のタイマ１５ｂをリセットする（ステップＳ６０）。
【００６１】
また、上記ステップＳ５２において、物体が検知されていないと判断した場合、さらに、第１のタイマ１５ａの設定時間（３０分）を経過したか否かを判断する（ステップＳ６１）。設定時間（３０分）を経過したならば、ステップＳ５８に進み、かぶせ細工等の検知を行い、設定時間（３０分）を経過しなければ、上記ステップＳ５１に戻り、以降の処理を実行する。
【００６２】
また、上記各検知信号を受けた警報送出器２０は、実施の形態１および２と同様に、侵入者検知信号を受信すると、警備中であれば監視センタ２５に警報を送信してもよいし、その場で警報ブザー２１等を起動させて周囲に知らせるようにしてもよい。また、警報送出器２０は、細工検知信号を入力すると、警備中・警備解除中にかかわらず監視センタ２５に警報を送信してもよいし、その場で警報ブザー２１等を起動させて周囲に知らせるようにしてもよい。
【００６３】
また、図７に示したフローチャートの後段（ステップＳ５７以降）において、図５に示したように、かぶせ状態を複数回連続に検知した場合に細工検知信号を送信してもよい。図８は、この場合の実施の形態３にかかる動作例を示すフローチャートである。
【００６４】
図８において、まず、第１のタイマ１５ａによる計時を開始し（ステップＳ７１）、かぶせ状態の連続検知数を示すｉを初期化する（ステップＳ７２）。つづく、ステップＳ７３〜Ｓ７９、Ｓ８３、Ｓ８４、Ｓ８５は、図４に示したステップＳ５２〜Ｓ５８、Ｓ６０、Ｓ６１、Ｓ６２と同様であるので、ここではそれらの説明を省略する。よって、ステップＳ７９においてかぶせ状態が検知されると、上記した連続検知数ｉをカウントアップする（ステップＳ８０）。
【００６５】
そして、この連続検知数ｉが所定数（たとえば、３）を示すか否かを判断する（ステップＳ８１）。ステップＳ８１において、連続検知数ｉが所定数に達していれば、上記した細工検知信号の送信をおこない（ステップＳ８２）、ステップＳ８３へと処理を移す。
【００６６】
一方、ステップＳ８１において、連続検知数ｉが所定数に達していない場合には、第２のタイマ１５ｂをリセットし（ステップＳ８６）、再びステップＳ７６に戻る。この際、ステップＳ７９において再度、かぶせ状態が検知された場合は、上記した処理を繰り返す。ステップＳ７９においてかぶせ状態が検知されない場合は、再びステップＳ５１に処理を戻す。
【００６７】
以上説明したように、この実施の形態３では、実施の形態２と同様に、検知器１１が物体を検知するごとにかぶせ細工のチェックをおこなうようにしている。これは、侵入者等がかぶせ細工を行うためには、必然的に検知器１１で検知されるからである。また、検知器１１が所定時間以上、検知信号を出力しないときもかぶせ細工のチェックを行う。すなわち、昼間等一通りの多い時間体にもかかわらず３０分もの間、センサが何の反応を示さないのは異常であるので、３０分ごとに異常をチェックすることにより、実施の形態１と同様に、画像センサ１２のレンズ部分のみのかぶせも検知することができる。
【００６８】
また、これ以外にも、検知器１１により物体を検知したにも関わらず、その後の画像処理において移動物体が検知されないという状態が連続して生じた場合に、かぶせ検知をおこなうようにしてもよい。これにより、たとえば、画像センサ１２のレンズ部のみが細工されることで、検知器１１が連続して物体を検知する状態に対しても検知異常と判断することができる。
【００６９】
なお、上述した説明においては、検知器１１が物体を検知してから所定時間後にかぶせ検知をおこなうとしているが、検知器１１が移動物体を検知し、かつ画像センサ１２により移動物体が検知された際に所定時間の計時を開始し、その所定時間経過時にかぶせ検知をおこなうようにしてもよい。
【００７０】
なお、本実施の形態では、複数回連続してかぶせの検知が行なわれた場合に、細工検知信号を出力しているが、たとえば、５回かぶせの検知を行い、そのうち、３回異常があった場合に細工検知信号を出力してもよい。
【００７１】
【発明の効果】
以上説明したように、この発明にかかる複合型センサ（請求項１）によれば、所定時間（たとえば、３０分）ごとに発光手段を発光させて撮像手段より画像を取り込み、取り込んだ画像の明るさを、たとえば、所定の明度範囲の画素が所定個以上存在するときに、センサへの遮蔽物工作や汚れをチェックするため、かぶせ細工が行われたあるいはセンサの汚れは発生したという異常状態を判断することができる。
【００７２】
また、この発明にかかる複合型センサ（請求項２）によれば、第１の明度および第２の明度というように二つ設け、所定時間（たとえば、３０分）ごとに発光手段を発光させて撮像手段より画像を取り込み、取り込んだ画像の明るさが、第１の明度よりも明るい場合、あるいは第２の明度よりも暗い場合、すなわち、センサ筐体全部に何か物をかぶせる行為がなされているときは、発光手段の照明がかぶせられた物に反射して画像が非常に明るくなり、また、撮像手段のレンズ部のみに何か物をかぶせられたときは、画像が真っ暗になる特性を利用することにより、センサへの遮蔽物工作（かぶせ細工）が行われたか、あるいは検知不能な汚れであるかをチェックするため、かぶせ細工あるいはセンサの汚れを検知することができ、また、明るさの度合いによって、センサの筐体全体が細工されたのか、あるいは撮像手段のレンズ部分が細工されたかの異常状態を判断することができる。
【００７３】
また、この発明にかかる複合型センサ（請求項３）によれば、検知手段および撮像手段によって侵入者を検知した後、センサ細工時間を見込んだ所定時間ごとに、発光手段を発光させて撮像手段より画像を取り込み、その取り込んだ画像の明るさに属する画素が、たとえば、所定の明度範囲の画素に対して所定個以上であったときに、センサへの遮蔽物工作、すなわち、かぶせ細工が行われた、あるいは検知不能な汚れであると判断するため、センサにかぶせ細工といった不正行為を行う時間を見込んだ確実な検知を行うことが可能となる。
【００７４】
また、この発明にかかる複合型センサ（請求項４）によれば、発光手段を発光させて撮像手段より画像を取り込み、その取り込んだ画像の明るさが、第１の明度および第２の明度というように二つ設け、検知手段および撮像手段によって侵入者を検知した後、センサ細工時間を見込んだ所定時間ごとに発光手段を発光させて撮像手段より画像を取り込み、取り込んだ画像の明るさが、第１の明度よりも明るい場合、あるいは第２の明度よりも暗い場合、すなわち、センサ筐体全部に何か物をかぶせる行為がなされているときは、発光手段の照明がかぶせられた物に反射して画像が非常に明るくなり、また、撮像手段のレンズ部のみに何か物をかぶせられたときは、画像が真っ暗になる特性を利用することにより、センサへの遮蔽物工作（かぶせ細工）がおこなわれたか、あるいは検知不能な汚れであるかを判断するため、センサにかぶせ細工といった不正行為を行う時間を見込んだ確実な検知を行うことが可能となる。
【００７５】
また、この発明にかかる複合型センサ（請求項５）によれば、検知手段が侵入者を検知し、センサ細工を行うに十分な時間を見込んだ第２の時間（たとえば、３分）が経過した場合、および検知手段が第１の時間（たとえば、３０分）経過しても検知信号を出力しない（人通りのある時間帯にもかからず何の反応がない）場合の両方のタイミングで、発光手段を発光させて撮像手段より画像を取り込み、その取り込んだ画像を構成する画素が、たとえば、所定の明度範囲でかつ所定個以上存在するときに、センサへの遮蔽物工作、すなわち、かぶせ細工が行われた、あるいは検知不能な汚れであると判断するため、侵入者の検知後と所定時間後の両方のタイミングでかぶせ細工をチェックすることができ、より確実な不正行為の監視が実現する。
【００７６】
また、この発明にかかる複合型センサ（請求項６）によれば、検知手段が侵入者を検知し、センサに細工を行うに十分な時間を見込んだ第２の時間が経過した場合、および検知手段が第１の時間（たとえば、３０分）経過しても検知信号を出力しない（人通りのある時間帯にもかからず何の反応がない）場合の両方のタイミングで、発光手段を発光させて撮像手段より画像を取り込み、その取り込んだ画像の明るさが、第１の明度よりも明るい場合、あるいは第２の明度よりも暗い場合、すなわち、センサ筐体全部に何か物をかぶせる行為がなされているときは、発光手段の照明がかぶせられた物に反射して画像が非常に明るくなり、また、撮像手段のレンズ部のみに何か物をかぶせられたときは、画像が真っ暗になる特性を利用することにより、センサへの遮蔽物工作（かぶせ細工）が行われたか、あるいは検知不能な汚れであるかをチェックするため、侵入者の検知後と所定時間後の両方のタイミングでかぶせ細工を判断することができ、より確実な不正行為の監視が実現する。
【図面の簡単な説明】
【図１】この発明の実施の形態１にかかる複合型センサおよび該センサを用いたシステム構成を示すブロック図である。
【図２】図１に示した複合型センサの概観を示す斜視図である。
【図３】この発明の実施の形態１にかかる動作例を示すフローチャートである。
【図４】この発明の実施の形態２にかかる動作例を示すフローチャートである。
【図５】この発明の実施の形態２にかかる他の動作例を示すフローチャートである。
【図６】この発明の実施の形態３にかかる複合型センサおよび該センサを用いたシステム構成を示すブロック図である。
【図７】この発明の実施の形態３にかかる動作例を示すフローチャートである。
【図８】この発明の実施の形態３にかかる他の動作例を示すフローチャートである。
【符号の説明】
１０，３０  複合型センサ
１１  検知器
１２  画像センサ
１３  発光部
１４  記憶部
１５  タイマ
１５ａ  第１のタイマ
１５ｂ  第２のタイマ
１６  制御部
２０  警報送出器
２１  警報ブザー
２２  監視センタ
【図１】
0004503742.tif 000002
【図２】
0004503742.tif 000003
【図３】
0004503742.tif 000004
【図４】
0004503742.tif 000005
【図５】
0004503742.tif 000006
【図６】
0004503742.tif 000007
【図７】
0004503742.tif 000008
【図８】
0004503742.tif 000009